【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
（ａ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が２５〜４５の整数を表す）で表される２５ｍｍ２／ｓｅｃ以下の動粘度（４０℃）を有する直鎖状パーフルオロポリエーテル油及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が８０〜２００以下の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と（ｃ）増ちょう剤としてポリテトラフルオロエチレンを含有してなるグリース組成物を封入した自動車の電子制御スロットルモータ用軸受。
【請求項２】
一般式
ＲｆＯ（ＣＦ２Ｏ）ｐ（Ｃ２Ｆ４Ｏ）ｑ（Ｃ３Ｆ６Ｏ）ｒＲｆ
で表される分子構造の直鎖状パーフルオロポリエーテル油において、ｒ＝０の直鎖状パーフルオロポリエーテル油を（ａ）成分とし、ｒ＝０の直鎖状パーフルオロポリエーテル油を（ｂ）成分として用いる請求項１に記載されたグリース組成物を封入した自動車の電子制御スロットルモータ用軸受。
【請求項３】
（ｃ）ポリテトラフルオロエチレン増ちょう剤が、（ｄ）０．５μｍ以下の粒子径のもの５〜９５質量％及び（ｅ）５μｍ以上の粒子径のもの９５〜５質量％より構成される請求項１又は請求項２に記載されたグリース組成物を封入した自動車の電子制御スロットルモータ用軸受。
【請求項４】
（ｆ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、ｐ、ｑ、ｒはすべて整数であり、合計５０〜８０の整数を表す）で表される動粘度（４０℃）４０〜１５０ｍｍ２／ｓｅｃの動粘度（４０℃）を有する直鎖状パーフルオロポリエーテル油を、基油全体の２０質量％以下含んでなる請求項１ないし請求項３のいずれかひとつに記載したグリース組成物を封入した自動車の電子制御スロットルモータ用軸受。
【請求項５】
防錆剤及び／又は腐食防止剤を添加した請求項１ないし請求項４のいずれかひとつに記載したグリース組成物を封入した自動車の電子制御スロットルモータ用軸受。
【手続補正２】
【補正対象書類名】明細書
【補正対象項目名】０００３
【補正方法】変更
【補正の内容】
【０００３】
しかし、従来のフッ素グリースは、パーフルオロポリエーテルを基油として、テトラフルオロエチレン共重合体を増ちょう剤として用い、その他少量の防錆剤、腐食防止剤で構成されている。さらに低温性が要求される部分については、優れた低温特性を有する直鎖状のパーフルオロポリエーテル油が使用されている。近年は要求性能が厳しくなり、これらのフッ素グリースでも耐荷重低温トルク性能、耐久性を満足させることは出来ない。こうした過酷な要求性能を満たすために、例えば液体フッ素化ポリマーと双峰粒度分布を有する六方格子窒化ホウ素粉末を含む増ちょう剤とを含むグリース組成物（特開平7-102274）が提案されており、これによって耐熱性、軸受耐久性には優れた特性を有するが、低温トルク特性については何ら言及されていない。
【手続補正３】
【補正対象書類名】明細書
【補正対象項目名】０００４
【補正方法】変更
【補正の内容】
【０００４】
【発明が解決しようとする課題】本発明者は、自動車に要求されるマイナス４０℃〜１８０℃の広範囲の温度で安定な特性を有する電子制御スロットルモーターを鋭意研究した結果、マイナス４０℃〜１８０℃の広範囲の温度、とくに低温度で高荷重の条件下でも低トルク性のグリース組成物を電子制御スロットルモーターの軸受に封入することにより、その目的を達成できることが解った。電子制御スロットルモーターの軸受は、外径が２２ｍｍ内径８ｍｍないし外径が１２ｍｍ内径４ｍｍのさまざまな軸受があるが、いずれにおいても、低温度で高荷重の条件下でも低トルク性のグリースが要求されている。従来のパーフルオロポリエーテル油を基油としたグリース組成物に比して格段に優れた低温度で高荷重の条件下でも低トルクである電子制御スロットルモーター用軸受を提供しようとするものである。
【手続補正４】
【補正対象書類名】明細書
【補正対象項目名】０００５
【補正方法】変更
【補正の内容】
【０００５】
【課題を解決するための手段】本発明者は、基油として用いるパーフルオロポリエーテル油を、分枝状のポリマーを含まない直鎖状のポリマーのみに限定した上、分子量の大きいポリマーと分子量の小さいポリマーを配合し、増ちょう剤としてテトラフルオロエチレン微粉末を用いたグリース組成物を電子制御スロットルモーター用軸受に封入することで目的が達成されることを見出し、本発明を完成させるに至った。
【手続補正５】
【補正対象書類名】明細書
【補正対象項目名】０００６
【補正方法】変更
【補正の内容】
【０００６】
すなわち、（ａ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が２５〜４５の整数を表す）で表される２５ｍｍ２／ｓｅｃ以下の動粘度（４０℃）を有する直鎖状パーフルオロポリエーテル油及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が８０〜２００以下の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と（ｃ）増ちょう剤としてポリテトラフルオロエチレンを含有してなるグリース組成物を封入することにより、低温高荷重において低トルクであり、かつマイナス４０℃〜１８０℃の広範囲の温度で安定な自動車の電子制御スロットルモーター用軸受を得ることが出来た。
【手続補正６】
【補正対象書類名】明細書
【補正対象項目名】０００７
【補正方法】変更
【補正の内容】
【０００７】
【発明の実施の形態】本発明の電子制御スロットルモーター用軸受に封入することが出来る直鎖状パーフルオロポリエーテル油としては、一般式ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒは２００以下の整数を表す）で表される分子構造の直鎖状パーフルオロポリエーテル油において、ｒ＝０の直鎖状パーフルオロポリエーテル油を（ａ）成分とし、ｒ＝０の直鎖状パーフルオロポリエーテル油を（ｂ）成分として用いるのが良い。
何故ならば、化学式（Ｃ３Ｆ６Ｏ）ｒを含む直鎖パーフルオロポリエーテル油は、化学式（Ｃ３Ｆ６Ｏ）ｒを含まない直鎖パーフルオロポリエーテル油と比べ粘度指数が小さいため、低温時の粘度が高くなり、トルクを上昇させる原因となるからである。したがってｒ＝０で表される分子構造の直鎖状パーフルオロポリエーテル油を用いれば、さらに低温時のトルクを低減させることができる。具体的には次のようなものが用いられる。
ＲｆＯ（ＣＦ２ＣＦ２Ｏ）ｍ（ＣＦ２Ｏ）ｎＲｆ
m+n：3〜200
m/n：10〜90/90〜10これは、テトラフルオロエチレンの光酸化重合で生成した先駆体を完全にフッ素化することによって得られる。
【手続補正７】
【補正対象書類名】明細書
【補正対象項目名】００１４
【補正方法】変更
【補正の内容】
【００１４】
本発明の実施の形態をまとめると以下のとおりである。
（１）  （ａ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が２５〜４５の整数を表す）で表される２５ｍｍ２／ｓｅｃ以下の動粘度（４０℃）を有する直鎖状パーフルオロポリエーテル油及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が８０〜２００以下の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と（ｃ）増ちょう剤としてポリテトラフルオロエチレンを含有してなるグリース組成物を封入した自動車の電子制御スロットルモータ用軸受。
（２）  一般式
ＲｆＯ（ＣＦ２Ｏ）ｐ（Ｃ２Ｆ４Ｏ）ｑ（Ｃ３Ｆ６Ｏ）ｒＲｆ
で表される分子構造の直鎖状パーフルオロポリエーテル油において、ｒ＝０の直鎖状パーフルオロポリエーテル油を（ａ）成分とし、ｒ＝０の直鎖状パーフルオロポリエーテル油を（ｂ）成分として用いる上記（１）に記載されたグリース組成物を封入した自動車の電子制御スロットルモータ用軸受。
（３）  （ｃ）ポリテトラフルオロエチレン増ちょう剤が、（ｄ）０．５μｍ以下の粒子径のもの５〜９５質量％及び（ｅ）５μｍ以上の粒子径のもの９５〜５質量％より構成される上記（１）又は上記（２）に記載されたグリース組成物を封入した自動車の電子制御スロットルモータ用軸受。
（４）  （ｆ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、ｐ、ｑ、ｒはすべて整数であり、合計５０〜８０の整数を表す）で表される動粘度（４０℃）４０〜１５０ｍｍ２／ｓｅｃの動粘度（４０℃）を有する直鎖状パーフルオロポリエーテル油を、基油全体の２０質量％以下含んでなる上記（１）ないし上記（３）のいずれかひとつに記載したグリース組成物を封入した自動車の電子制御スロットルモータ用軸受。
（５）  防錆剤及び／又は腐食防止剤を添加した上記（１）ないし上記（４）のいずれかひとつに記載したグリース組成物を封入した自動車の電子制御スロットルモータ用軸受。